(57)【要約】【目的】抜け止め部材等を設けなくても回転部材、コンタクトが抜けず、外形も小さいコネクタを提供する。【構成】第１、第２コンタクト１０、２０と、該各コンタクト１０、２０を保持するインシュレータ３０と、該インシュレータ３０に回転可能に装着され、かつ前記各コンタクト１０、２０に作用してこれらをＦＰＣ６０に導通させる回転部材４０とを備え、第１コンタクト１０は、一方側に係止部１１ａを、他方側に前記回転部材４０により押圧されて前記係止部１１ａをＦＰＣ６０に接触させるとともに前記回転部材４０と掛合する掛合部１１ｂを備え、第２コンタクト２０は、他方側に前記回転部材４０により押圧されて前記係止部２１ａを前記ＦＰＣ６０に接触させる被作動部２１ｂを備えた。【選択図】      図３
2004342426.tif 000002
【特許請求の範囲】
【請求項１】
複数のコンタクトと、該各コンタクトを保持するインシュレータと、該インシュレータに回転可能に装着され、かつ前記各コンタクトを可撓性の帯状の接続対象物に接触させることができる回転部材とを備えたコネクタであって、
前記コンタクトは、一方側に前記接続対象物と導通接触して係止する係止部を、他方側に前記回転部材による被作動部および前記回転部材の掛合部と掛合する掛合部をそれぞれ有する第１コンタクトと、一方側に前記接続対象部と導通接触して係止する係止部を、他方側に前記回転部材による被作動部をそれぞれ有する第２コンタクトを備えていることを特徴とするコネクタ。
【請求項２】
前記第１コンタクトおよび第２コンタクトの接続部は、前記一方側と他方側の間に支点部を有するてこ型であり、前記第１コンタクトおよび第２コンタクトは、前記接続部と前記支点部で連結された基板接続部を有する、工字形状またはＨ字形状を呈している請求項１記載のコネクタ。
【請求項３】
前記第１コンタクトおよび第２コンタクトの接続部の一方側の係止部は突部であり、前記接続部に対応する基板接続部には、前記突部と対向する位置に突部が形成されている請求項２記載のコネクタ。
【請求項４】
前記第１コンタクトおよび第２コンタクトは、前記回転部材によって前記他方側の被作動部が押圧されたときに、前記接続部および基板接続部の一方側で前記接続対象物を挟圧するとともに、前記第１コンタクトの掛合部が前記回転部材の掛合部と掛合する請求項２または３記載のコネクタ。
【請求項５】
前記第１コンタクトおよび第２コンタクトの前記基板接続部には、基板にはんだ付けされるはんだ付け部が、互いに反対側に設けられている請求項３または４記載のコネクタ。
【請求項６】
前記第１コンタクトと第２コンタクトは、複数が交互に配置されている請求項１乃至５のいずれか一項記載のコネクタ。
【請求項７】
前記接続対象物には、前記突部が嵌る穴または溝が形成されている請求項３記載のコネクタ。
【発明の詳細な説明】
【０００１】
【発明の技術分野】
本発明は、フレキシブルプリント基板（ＦＰＣ）やフレキシブルフラットケーブル（ＦＦＣ）など帯状のケーブルに適したコネクタに関する。
【０００２】
【従来技術およびその問題点】
従来、ＦＰＣやＦＦＣなどのフラットケーブルを回路基板に接続するコネクタが種々知られている。従来のコネクタは、複数のコンタクトと、該各コンタクトを保持するインシュレータと、該インシュレータに回転可能に装着され、かつ前記各コンタクトをフラットケーブルのコンタクトに接触させることができる回転部材とを備えている。インシュレータには、フラットケーブルを挿入する細長の開口が設けられている。各コンタクトは、一方の端部が、細長の開口から挿入されたフラットケーブルの端部の導通部に、他方の端部が前記回転部材によって作動され、一方の端部が前記フラットケーブルの導通部に押圧される。
【０００３】
しかし、従来のコネクタは、回転部材の両端部に突設した軸を、インシュレータの軸穴に回動自在に嵌合する構造（特許文献１）、または回転部材とコンタクトとを半割軸受け形状にし、軸支する構造（特許文献２）なので、回転部材がコネクタから脱落し易かった。したがってこのような従来のコネクタにおいて回転部材の支持強度を上げるためには、コネクタの両サイドに回転部材を抜け止めする部材が必要である、という問題があった。
【０００４】
【特許文献１】
特開平１０−２０８８１０号公報
【特許文献２】
特開平１１−３１５６１号公報
【０００５】
【発明の目的】
本発明は、従来のコネクタの問題に鑑みてなされたもので、抜け止め部材等を設けなくても回転部材、コンタクトが抜けず、外形も小さいコネクタを提供することを目的とする。
【０００６】
【発明の概要】
この目的を達成する本発明は、複数のコンタクトと、該各コンタクトを保持するインシュレータと、該インシュレータに回転可能に装着され、かつ前記各コンタクトを可撓性の帯状の接続対象物に接触させることができる回転部材とを備えたコネクタであって、前記コンタクトは、一方側に前記接続対象物と導通接触して係止する係止部を、他方側に前記回転部材による被作動部および前記回転部材の掛合部と掛合する掛合部をそれぞれ有する第１コンタクトと、一方側に前記接続対象部と導通接触して係止する係止部を、他方側に前記回転部材による被作動部をそれぞれ有する第２コンタクトを備えたことに特徴を有する。
この構成によれば、第１コンタクトと回転部材とが掛合連結されるので、これらがインシュレータから脱落し難くなる。
【０００７】
前記第１コンタクトおよび第２コンタクトの接続部は、前記一方側と他方側の間に支点部を有するてこ型であり、前記第１コンタクトおよび第２コンタクトは、前記接続部と前記支点部で連結された基板接続部を有する、工字形状またはＨ字形状とする。前記第１コンタクトおよび第２コンタクトの接続部の一方側の係止部は突部であり、前記接続部に対応する基板接続部には、前記突部と対向する位置に突部を形成する。
第１コンタクトおよび第２コンタクトは、前記回転部材によって前記他方側の被作動部が押圧されたときに、前記接続部および基板接続部の一方側で前記接続対象物を挟圧し、前記第１コンタクトの掛合部が前記回転部材の掛合部と掛合する。
第１コンタクトおよび第２コンタクトの前記基板接続部には、基板にはんだ付けされるはんだ付け部を、互いに反対側に設ける。第１コンタクトと第２コンタクトは、複数が交互に配置する。この構成によれば、隣り合うはんだ付け部が一つ置きに配置されることになり、はんだが流れて短絡するおそれがなくなる。
前記接続対象物には、前記突部が嵌る穴または溝を形成する。この構成によれば、接続対象物とコンタクトとの連結力がより強くなる。
【０００８】
【発明の実施の形態】
以下図面に基づいて本発明を説明する。図１は、本発明を適用したコネクタの外観を示す、前方から見た斜視図、図２は同コネクタの外観を示す、後方から見た斜視図、図３は図１の切断線ＩＩＩ−ＩＩＩに沿って第１コンタクトが見えるように縦断した斜視断面図、図４は図１の切断線ＩＶ−ＩＶに沿って第２コンタクトが見えるように縦断した斜視断面図であって、それぞれ回転部材４０を解放した状態を示してある。
【０００９】
このＦＰＣ／ＦＣＣ用コネクタは、複数の金属製の第１コンタクト１０および第２コンタクト２０と、これらのコンタクト１０、第２コンタクト２０を保持するインシュレータ３０と、各コンタクトをＦＰＣ／ＦＣＣに圧接させるための回転部材４０を備えている。インシュレータ３０および回転部材４０は絶縁材、例えばセラミック、合成樹脂などで形成されている。
【００１０】
第１コンタクト１０は、側面が工字形状（またはＨ字形状）を呈していて、上アーム部（接続部）１１と下アーム部（基板接続部）１３とが支点部１２を介して接続されている。上アーム部１１は、支点部１２を支点として下アーム部１３に対して弾性的に揺動するてこ構造である。
【００１１】
上アーム部１１には、一方側に、下アーム部１３に対向する鈎形状の係止部１１ａが突設され、他方側に、下アーム部１３に対向する、被作動部および掛合部として機能する掛合部１１ｂが形成されている。
下アーム部１３には、係止部１１ａと対向する側に押さえ突起１３ａが突設されている。さらに下アーム部１３は、一方側が基板にはんだ付けするはんだ付け部１３ｄに設定されていて、一方側の底辺に、はんだ上がり防止溝１３ｂおよびインシュレータ３０に嵌合して他方側（回転部材４０側）に移動する（抜ける）のを防止する嵌合溝１３ｃが形成されている。
【００１２】
第２コンタクト２０は、側面が工字形状（またはＨ字形状）を呈していて、上アーム部（接続部）２１と下アーム部（基板接続部）２３とが支点部２２を介して接続されている。上アーム部２１は、支点部２２を支点として下アーム部２３に対して弾性的に揺動するてこ構造である。
【００１３】
上アーム部２１には、一方側に、下アーム部２３に対向する側に鈎形状の係止部２１ａが形成され、他方側に、下アーム部２３に対向する被作動部２１ｂが形成されている。
下アーム部２３には、上アーム部２３の２３ａと対向する位置に押さえ突起２３ａが突設されている。さらに下アーム部２３は、他方側が基板にはんだ付けするはんだ付け部２３ｄに設定されていて、一方側の底辺に、はんだ上がり防止溝２３ｂと、インシュレータ３０に嵌合して一方側に移動する（抜ける）のを防止する嵌合部２３ｃが形成されている。
【００１４】
インシュレータ３０は、長方形の本体部３１を有し、この本体部３１内に、第１コンタクト１０、第２コンタクト２０が交互にモールドされている。本体部３１の前面には、ＦＰＣ６０挿入用の挿入口３２が形成され、第１コンタクト１０、第２コンタクト２０は、挿入口３２内に露出している。さらに本体部３１の背面には、回転部材４０を収容するための凹部３３が形成されている。さらに本体部３１の両側部には、本体部４１を弾性的に挟圧する一対の側腕３４が形成されている。側腕３４の自由端部は、凹部３３の側壁を形成している。この側腕３４の対向面には、本体部４１の両側面に突設された回転軸４４の外周面を受ける凹面が形成されている。
【００１５】
回転部材４０は、作業者の指により操作される操作レバー部を兼ねた、略長方形の本体部４１と、本体部４１の両端部に、回転部材４０を回動自在に支持する回転軸４４を備えている。そして回転部材４０には、本体部４１の長手方向に沿って、上アーム部１１、上アーム部２１の他側部が入る収納穴４２、収納溝４３が交互に形成されている。これらの収納穴４２、収納溝４３を規制する壁の一部が、上アーム部１１の掛合部１１ｂに作用および掛合する掛合部４２ａ、上アーム部２１の被作動部２１ｂに作用する作動部４３ａを構成している。
【００１６】
本実施例では、貫通した収納穴４２と貫通していない収納溝４３とを交互に設けたので、本体部４１が薄くても、本体部４１全体として十分な強度を維持している。なお、本実施例では本体部４１の厚みを薄くしたので収納穴４２は本体部４１を貫通しているが、収納穴４２は、掛合部１１ｂを収納できるだけの深さ（奥行き）があれば、貫通させなくてもよい。
【００１７】
第１コンタクト１０、第２コンタクト２０は、収納溝４３、収納穴４２に入った掛合部１１ｂ、被作動部２１ｂと、下アーム部１３、２３の他方側とで収納溝４３、収納穴４２を挟み込み、これらと回転軸４４とによって回転軸４４の軸心を中心に回転する回転軸としても機能している。
【００１８】
図６および図７には、このコネクタの回転部材４０を回転操作する前、およびＦＰＣ６０を差し込んで回転部材４０を回転操作した後の状態を、図１に示した断面図を参照して説明する。図６および図７において、（Ａ）は図１の切断線ＶＩ−ＶＩに沿って縦断した断面図、（Ｂ）は図１の切断線ＩＩＩ−ＩＩＩに沿って第１コンタクトが見えるように縦断した断面図、（Ｃ）は切断線ＩＶ−ＩＶに沿って第２コンタクトが見えるように縦断した断面図である。
【００１９】
回転部材４０を回転操作する前は、第１コンタクト１０の係止部１１ａと突起１３ａ、第２コンタクト２０の係止部２１ａと突起２３ａとの間隔は、ＦＰＣ６０を容易に差し込めるだけ離反している。さらに、掛合部１１ｂは掛合部４２ａと接触し、被作動部２１ｂは作動部４３ａと接触乃至僅かに離反した状態にある。この解放状態において、ＦＰＣ６０を挿入口３２から差し込む。
【００２０】
次に、回転部材４０を掛合方向（図では時計方向）に回転させる。回転部材４０は、回転軸４４の中心を軸として回転する。すると、掛合部１１ｂが掛合部４２ａにより持ち上げられて１２を支点として反時計方向に回転し、係止部１１ａが突起１３ａに接近し、ＦＰＣ６０を突起１３ａとの間で挟圧する（図７（Ｂ））。被作動部２１ｂは作動部４３ａにより持ち上げられて２２を支点として反時計方向に回転し、係止部２１ａが突起２３ａに接近し、ＦＰＣ６０を突起２３ａとの間で挟圧する（図７（Ｃ））。ここで、掛合部１１ｂは掛合部４２ａと掛合しているので、掛合部１１ｂ、すなわち第１コンタクト１０は掛合部４２ａによって係止部１１ａ方向移動が阻止されている。しかも第１コンタクト１０は、嵌合溝１３ｃが本体部３１に嵌合して回転部材４０方向への移動が阻止されているので、ＦＰＣ６０の着脱方向に抜けない。
【００２１】
以上の通り本実施形態によれば、第１コンタクト１０の掛合部１１ｂが回転部材４０の掛合部４２ａと掛合して第１コンタクト１０がＦＰＣ６０が引き抜かれる方向に移動するのを阻止しているので、ＦＰＣ６０とインシュレータ３０との間に引き抜き方向に外力が加わっても、第１コンタクト１０はインシュレータ３０から抜けない。なお、ＦＰＣ６０に、コネクタ接続時に係止部１１ａ、２１ａが嵌合する穴または溝を設ければ、コネクタからより抜け難くなる。
また、本発明の実施形態では、第１コンタクト１０と第２コンタクト２０とを交互に配置し、しかもハンダ付け部が反対側に設定されているので、コンタクトを狭ピッチ化しても、隣り合うコンタクト同士がはんだによって短絡するおそれがない。
【００２２】
【発明の効果】
以上の説明から明らかな通り本発明は、複数のコンタクトと、該各コンタクトを保持するインシュレータと、該インシュレータに回転可能に装着され、かつ前記各コンタクトを可撓性の帯状の接続対象物に接触させることができる回転部材とを備えたコネクタにおいて、一方側に前記接続対象物と導通接触して係止する係止部を、他方側に前記回転部材による被作動部および前記回転部材の掛合部と掛合する掛合部をそれぞれ有する第１コンタクトと、一方側に前記接続対象部と導通接触して係止する係止部を、他方側に前記回転部材による被作動部をそれぞれ有する第２コンタクトを備えたので、コンタクトおよび回動部材が互いに連結されて抜け難くなる。
【図面の簡単な説明】
【図１】本発明を適用したコネクタの外観を示す、前方から見た斜視図である。
【図２】同コネクタの外観を示す、後方から見た斜視図である。
【図３】同コネクタの、図１の切断線ＩＩＩ−ＩＩＩに沿って縦断した斜視断面図である。
【図４】図１の切断線ＩＶ−ＩＶに沿って縦断した斜視断面図である。
【図５】同コネクタを分解した斜視図である。
【図６】同コネクタの、図１における切断線ＶＩ−ＶＩ、切断線ＩＩＩ−ＩＩＩ、切断線ＩＶ−ＩＶに沿って縦断した断面図である。
【図７】図６において、回転部材を回転操作し、ＦＰＣを固定した状態の各断面図である。
【符号の説明】
１０  第１コンタクト
１１  上アーム部（接続部）
１１ａ  係止部
１１ｂ  掛合部
１２  支点部
１３  下アーム部（基板接続部）
１３ａ  突起
１３ｂ  はんだ上がり防止溝
１３ｃ  嵌合溝
１３ｄ  はんだ付け部
２０  第２コンタクト
２１  上アーム部（接続部）
２１ａ  係止部
２２  支点部
２３  下アーム部（基板接続部）
２３ａ    突起
２３ｂ  はんだ上がり防止溝
２３ｃ  嵌合部
２３ｄ  はんだ付け部
３０  インシュレータ
３１  本体部
３３  凹部
３４  側腕
４０  回転部材
４１  本体部
４２  収納穴
４３  収納溝
４４  回転軸
６０  ＦＰＣ
【図１】
2004342426.tif 000003
【図２】
2004342426.tif 000004
【図３】
2004342426.tif 000005
【図４】
2004342426.tif 000006
【図５】
2004342426.tif 000007
【図６】
2004342426.tif 000008
【図７】
2004342426.tif 000009